(57)【要約】【課題】大型〜小型のペットに対応でき、搬送や保管等に便利で、かつ安価に製造でき、ペット愛好者の経費の節減に貢献可能なペット用衛生首輪を提供する。【解決手段】柔軟材料よりなる扇形の首輪板１を同形・同大で複数枚設け、各首輪板１の両端に雌・雄の留め金具３、４を、半径方向へ複数個、周方向へ複数列に亘って、雌型係合部３ａと雄型係合部４ａとが首輪板１両面の反対側に位置するように取り付けたもので、各首輪板１端部の重ね合せ量を調整すべく所要列に位置する雌・雄の留め金具３、４を選択し、各留め金具の雌型係合部３ａと雄型係合部４ａとを係合することで複数枚の首輪板１を連結し、さらにこれら連結板１の両端をペット６の頸部６ａの大きさに応じて選択した所要列の留め金具３、４の雌・雄係合部３ａ、４ａを係合し、逆立ち円錐状に組み立てるよう構成されている。【選択図】          図３
2005058014.tif 000002
【特許請求の範囲】
【請求項１】
柔軟材料よりなる扇形の首輪板を同形・同大で複数枚設け、各首輪板の両端に雌・雄の留め金具を、半径方向へ複数個、周方向へ複数列に亘って、雌型係合部と雄型係合部とが首輪板の両面の反対側にそれぞれ位置するように取り付けたものであって、各首輪板端部の重ね合せ量を調整すべく所要列に位置する雌・雄の留め金具を選択し、各留め金具の雌型係合部と雄型係合部とを係合することで複数枚の首輪板を連結し、さらにこれら連結板の両端をペットの頸部の大きさに応じて選択した所要列の留め金具の雌・雄係合部を係合し、逆立ち円錐状に組み立てることを特徴とするペット用衛生首輪。
【発明の詳細な説明】
【０００１】
【発明の属する技術分野】
本発明は、ペット用衛生首輪に関する。
【０００２】
【従来の技術】
従来、犬や猫などのペットを治療するために、手術、薬剤塗布する場合、または、衛生のためのシャンプーを行うときに、ビニルその他の柔軟な樹脂などを材料とする略リング状の首輪板をペットの頸部に挿入することで、ペットが自身の体を傷めないため、あるいはシャンプー材が眼や耳に入るのを防止している（特許文献１参照）。
【０００３】
【特許文献１】
登録第２５５３６７５号実用新案公報
【０００４】
しかしながら、従来のペット用衛生首輪は、全体が一枚の首輪板にて形成されているため、特に大型のペット（例えば大型犬）の場合は甚しく大きく、かつ重くなり、搬送や保管等に不便である。
【０００５】
また、小型・中型のペットの場合は別の専用首輪を準備しなければならず、コスト的にも高くつくという問題がある。
【０００６】
さらに、従来のペット用首輪板は、その切欠部分に複数個の止め具（ホック）を設けてあり、この部分の止め具だけでペットの頸部挿入口の大きさを調整するため、その調整量は限られており、使用の範囲も制限されるという問題もある。
【０００７】
本発明は、以上の従来技術が有する問題点を解消するもので、同形・同大の複数枚の首輪板を使い分けすることにより大型〜小型のペットに対応でき、搬送や保管等に便利であり、かつ安価に製造できると共に、ペット愛好者の経費の節減にも貢献可能なペット用衛生首輪を提供することを目的とする。
【０００８】
【発明が解決しようとする課題】
上記目的を達成するために、本発明に係わるペット用衛生首輪は、柔軟材料よりなる扇形の首輪板を同形・同大で複数枚設け、各首輪板の両端に雌・雄の留め金具を、半径方向へ複数個、周方向へ複数列に亘って、雌型係合部と雄型係合部とが首輪板の両面の反対側にそれぞれ位置するように取り付けたものであって、各首輪板端部の重ね合せ量を調整すべく所要列に位置する雌・雄の留め金具を選択し、各留め金具の雌型係合部と雄型係合部とを係合することで複数枚の首輪板を連結し、さらにこれら連結板の両端をペットの頸部の大きさに応じて選択した所要列の留め金具の雌・雄係合部を係合し、逆立ち円錐状に組み立てることを特徴とする。
【０００９】
【発明の実施の形態】
以下、本発明の実施の形態について図面を参照して詳細に説明する。
図１は、本発明に係わるペット用衛生首輪の首輪板を示す正面図であり、図２は、同上の背面図であり、図３〜図５は、２枚の首輪板を異なった列の雌・雄留め金具で連結した状態を示す組み合せ正面図である。図６は、図４のように連結した首輪板を逆立ち円錐状に組み立てる直前の状態を示す斜視図であり、図７は、一枚の首輪板を逆立ち円錐状に組み立てる直前の状態を示す斜視図であり、図８は、使用状態を示す説明図である。
【００１０】
図１および図２において、１は、ビニル樹脂その他の柔軟な樹脂などを材料として扇形に形成された薄型の首輪板である。
【００１１】
図中２は、首輪板１の下端縁に沿って嵌着されたペット６の頸部保護用のクッション材である。
【００１２】
本実施例では、このようにして構成された同形・同大の首輪板１を２枚設ける。
【００１３】
そして、各首輪板１の両端に、雌・雄の止め金具３、４を半径方向へ複数個（本実施例では４個）、周方向へ複数列（同３列）に亘って、雌型係合部３ａと雄型係合部４ａとが首輪板１の両面１ａ、１ｂの反対側にそれぞれ位置するように取り付ける。
【００１４】
而して、２枚の首輪板１の端部の重ね合せ量を調整すべく所要列に位置する雌・雄の留め金具３、４を選択し、両金具３、４の雌型係合部３ａと雄型係合部４ａとを係合することで両首輪板１を連結する。
【００１５】
図３は、２枚の首輪板１端部の重ね合せ量を最も小さく調整すべく最端部に位置する雌・雄の留め金具３、４を選択し、両金具３、４の雌型係合部３ａと雄型係合部４ａとを係合することで、両首輪板１が最大の大きさとなるよう連結したものである。
【００１６】
図４は、２枚の首輪板１端部の重ね合せ量を中位に調整すべく中間部に位置する雌・雄の留め金具３、４を選択し、両金具３、４の雌型係合部３ａと雄型係合部４ａとを係合することで、両首輪板１が中位の大きさとなるよう連結したものである。
【００１７】
図５は、２枚の首輪板１端部の重ね合せ量を最も大きく調整すべく最奥部に位置する雌・雄の留め金具３、４を選択し、両金具３、４の雌型係合部３ａと雄型係合部４ａとを係合することで、両首輪板１が最小の大きさとなるよう連結したものである。
【００１８】
使用に際しては、以上のようにして連結した３種類の首輪板１の中からペット６の大きさに応じて選択した後、図８に示したように、それをペット６の頸部６ａに巻き込み、両端に設けられた雌・雄の止め金具３、４の雌型係合部３ａと、雄型係合部４ａとを係合し、逆立ち円錐状に組み立てる。
【００１９】
このときもペットの大きさに応じて所要列に位置する雌・雄の留め金具３、４を選択する。これによって組み立てられた首輪の頸部挿入孔５（図６に示す）の大きさは二段階で調整できるため、ペット６の頸部６ａによりいっそうフィットさせることができる。
【００２０】
なお、小型のペット６の場合は一枚の首輪板１だけでも、また、特に大型のペット６の場合は三枚以上使用することができる。この場合もペット６の大きさに応じて首輪板１両端の雌・雄留め金具３、４を選択、調整し互いの雌係合部３ａと雄型係合部４ａを係合し、逆立ち円錐状に組み立てる。
【００２１】
【発明の効果】
本発明は、以上のように構成されるものであるから、次の効果を奏する。
（１）同型・同大の首輪板を複数枚設け、使用する際に両首輪板を連結できるため、製造コストも安く、かつ搬送や保管等に便利である。
（２）ペットの大きさに応じて小型のペットの場合は、首輪板を１枚だけでもよく、また、大型のペットの場合は首輪板を２枚以上連結して使用できるため、ペット愛好家の経費節減に貢献できる。
（３）首輪板を２枚以上連結して使用する場合は、各連結部の複数列の雌・雄留め金具と両端の複数列の雌・雄留め金具とを互いに選択することで二段階以上に調節できるため、ペットの頸部の大きさに応じて挿入孔を細かく調整でき、使用中に首輪が外れるおそれが少ない。
【図面の簡単な説明】
【図１】本発明に係わるペット用衛生首輪の首輪板を示す正面図である。
【図２】同上の背面図である。
【図３】２枚の首輪板の最端部に位置する雌・雄の留め金具で連結した状態を示す組み合せ正面図である。
【図４】２枚の首輪板の中位に位置する雌・雄の留め金具で連結した状態を示す組み合せ正面図である。
【図５】２枚の首輪板の最奥部に位置する雌・雄の留め金具で連結した状態を示す組み合せ正面図である。
【図６】２枚の首輪板を図４に示したように連結し、これを逆立ち円錐状に組み立てる直前の状態を示す斜視図である。
【図７】１枚の首輪板を逆立ち円錐状に組み立てる直前の状態を示す斜視図である。
【図８】使用状態を示す説明図である。
【符号の説明】
１    首輪板
２    雌の留め金具
２ａ  雌型係合部
３    雄の留め金具
３ａ  雄型係合部
６    ペット
６ａ  頸部
【図１】
2005058014.tif 000003
【図２】
2005058014.tif 000004
【図３】
2005058014.tif 000005
【図４】
2005058014.tif 000006
【図５】
2005058014.tif 000007
【図６】
2005058014.tif 000008
【図７】
2005058014.tif 000009
【図８】
2005058014.tif 000010